(57)【要約】【課題】  利用者の嗜好に合う多様性に富んだコンテンツ検索を、容易にかつ短時間に行えるようにする。【解決手段】  聴取している曲の特徴点を音楽データ嗜好性特徴抽出部１１が音域および周波数特性に基づいて抽出し、嗜好分類軸作成部１２が特徴点に基づく嗜好分類軸を作成する。音楽データ検索部１３が嗜好分類軸とコンテンツデータベース６に蓄積されている音楽データの特徴点とを比較して、嗜好分類軸の近傍に特徴点を有する音楽データを検索し、検索結果を音楽データ順序作成部１４が嗜好性が近似する順に並べ換えたうえで、検索結果提供部１５により表示部７に表示する。とくに別途の選択操作がなければ表示された順で再生される。検索結果と嗜好分類軸はコンテンツデータベース６に蓄積され、聴取する音楽ごとの多様な分類でデータベースが自動的に構築される。【選択図】    図１
2007041823.tif 000002
【特許請求の範囲】
【請求項１】
複数のコンテンツを蓄積したコンテンツデータベースを備え、コンテンツデータベースからコンテンツを検索するコンテンツ検索システムにおいて、
聴取しているコンテンツの特徴点を抽出する特徴点抽出手段と、
その抽出された特徴点と近似する特徴点を有するコンテンツを、前記コンテンツデータベースに蓄積されているコンテンツから検索するコンテンツ検索手段と、
検索されたコンテンツを前記コンテンツデータベースに同一の分類として蓄積するコンテンツ蓄積手段とを備える嗜好検索処理手段を有して、
聴取しているコンテンツと嗜好性が近似するコンテンツを検索することを特徴とするコンテンツ検索システム。
【請求項２】
前記嗜好検索処理手段は、前記特徴点抽出手段によって抽出された特徴点に基づいて、聴取しているコンテンツに嗜好性が近似する嗜好分類軸を生成する嗜好分類軸作成手段を有し、
前記コンテンツ検索手段は、前記嗜好分類軸作成手段によって生成した嗜好分類軸と、前記コンテンツデータベースに蓄積されているコンテンツの特徴点とを比較して、嗜好分類軸の近傍にある特徴点を有するコンテンツを抽出することを特徴とする請求項１記載のコンテンツ検索システム。
【請求項３】
前記コンテンツ蓄積手段は、嗜好分類軸作成手段によって生成された嗜好分類軸を前記コンテンツデータベースに蓄積することを特徴とする請求項２記載のコンテンツ検索システム。
【請求項４】
嗜好性が近似するコンテンツの抽出を要求する抽出要求手段を有し、
該抽出要求手段により抽出要求があったときに前記特徴点抽出手段によるコンテンツの特徴点抽出が開始されることを特徴とする請求項１から３のいずれか１に記載のコンテンツ検索システム。
【請求項５】
さらに表示部と、
前記コンテンツ検索手段で抽出された複数のコンテンツに関わる情報を、嗜好性が近似する順に前記表示部に表示するコンテンツ情報表示手段とを有することを特徴とする請求項１から４のいずれか１に記載のコンテンツ検索システム。
【請求項６】
前記コンテンツ検索手段で抽出された複数のコンテンツを、嗜好性が近似する順に再生するコンテンツ再生手段を有することを特徴とする請求項１から５のいずれか１に記載のコンテンツ検索システム。
【請求項７】
コンテンツが音楽データであり、
前記特徴点が音楽データの音域および周波数特性に基づくものであることを特徴とする請求項１から６のいずれか１に記載のコンテンツ検索システム。
【請求項８】
少なくとも前記嗜好検索処理手段を車両側に設け、前記コンテンツデータベースを基地局に設置して、
前記嗜好検索処理手段をネットワークを介して前記コンテンツデータベースに接続するように構成したことを特徴とする請求項１から７のいずれか１に記載のコンテンツ検索システム。
【請求項９】
少なくとも前記嗜好検索処理手段とコンテンツデータベースを車両側に設けるとともに、
前記嗜好検索処理手段をネットワークを介して他の車両のコンテンツデータベースに接続可能としたことを特徴とする請求項１〜７のいずれかに記載のコンテンツ検索システム。
【請求項１０】
複数のコンテンツを蓄積したコンテンツデータベースから、聴取しているコンテンツに嗜好性が近似するコンテンツを検索するコンテンツ検索方法において、
聴取しているコンテンツの特徴点を抽出し、
その抽出された特徴点と近似する特徴点を有するコンテンツを、コンテンツデータベースに蓄積されているコンテンツから検索して、検索されたコンテンツをコンテンツデータベースに同一分類の集合として蓄積することを特徴とするコンテンツ検索方法。
【発明の詳細な説明】
【技術分野】
【０００１】
本発明は、例えば車載用オーディオ装置に用いられるコンテンツ検索システムおよびその検索方法に関する。
【背景技術】
【０００２】
従来、この種のコンテンツ検索システムとして特開２００２‐０９９５７４号公報に開示されたものがある。
この従来のコンテンツ検索システムでは、作品タイトル、出演者等の作品プロフィール項目等の客観的キーワードで予め複数のコンテンツを分類しておき、この分類されたコンテンツの中から、うれしくて涙が出る、しみじみホッとできる等の視聴感項目、ダイナミック、クール等の作品テイスト項目等の感性キーワードを入力することにより、嗜好性の合うコンテンツを検索する内容となっている。
【特許文献１】特開２００２‐０９９５７４号公報
【発明の開示】
【発明が解決しようとする課題】
【０００３】
しかしながら、上記従来のコンテンツ検索システムにおいては、コンテンツを検索するために、感性キーワードをコンテンツの検索毎に入力しなければならず、その作業が煩雑で時間を要する。
とくに、車載用オーディオ装置では、入力作業を短時間で行うことが求められるため、感性キーワードをいちいち入力する従来の検索手法では、走行中の検索作業が難しい。
【０００４】
また、予め提供されている感性キーワードと、検索利用者が持っている嗜好とが必ずしも一致するとは限らず、検索されたコンテンツに違和感を抱きやすい。
さらに、予め規定されている感性キーワードを使用しての検索しかできないので、検索されたコンテンツが偏ってしまい、多様性を持たせたコンテンツ検索が困難であるという問題がある。
【０００５】
そこで本発明は、利用者の嗜好に合う多様性に富んだコンテンツ検索を、容易にかつ短時間に行えるコンテンツ検索システムおよびその検索方法の提供を目的としている。
【課題を解決するための手段】
【０００６】
上記課題を解決するため、本発明は、複数のコンテンツを蓄積したコンテンツデータベースを有し、このコンテンツデータベースから、聴取しているコンテンツと嗜好性が近似するコンテンツを検索するものであり、聴取しているコンテンツの特徴点を抽出する特徴点抽出手段と、その抽出された特徴点と近似する特徴点を有するコンテンツを、上記コンテンツデータベースに蓄積されているコンテンツから検索するコンテンツ検索手段と、検索されたコンテンツをコンテンツデータベースに同一の分類として蓄積するコンテンツ蓄積手段とを有するものとした。
【発明の効果】
【０００７】
本発明によれば、聴取しているコンテンツの特徴点を抽出し、その抽出された特徴点と近似する特徴点を有するコンテンツを、コンテンツデータベースに蓄積されているコンテンツから検索しているので、利用者の嗜好に合う多様性に富んだコンテンツ検索を、容易にかつ短時間に行うことができる。
また、検索されたコンテンツを同一の分類としてコンテンツデータベースに蓄積しているので、検索されたコンテンツ毎に分類したコンテンツデータベースを容易に構築することができる。
【発明を実施するための最良の形態】
【０００８】
以下、本発明を実施するための最良の形態について説明する。
図１は、本発明を車載用オーディオ装置に適用した実施の形態の構成を示すブロック図である。
本実施形態においては、コンテンツとして音楽データを一例として説明する。
この車載用オーディオ装置は、操作部１、ＦＭラジオ放送やＡＭラジオ放送を受信するラジオ受信部２、およびＣＤ／ＭＤドライブ３、再生部４と、これらに接続した嗜好検索処理部５、さらに嗜好検索処理部５に接続されたコンテンツデータベース６および表示部７からなっている。
【０００９】
操作部１は、図２に示すように、ＦＭラジオ／ＡＭラジオの選択スイッチ２１、ＣＤ／ＭＤの選択スイッチ２２等とともに、車載用オーディオ装置の操作に必要な操作スイッチが適宜配置されている。
嗜好検索処理部５は、音楽データ変換部１０、音楽データ嗜好性特徴抽出部１１、嗜好分類軸作成部１２、音楽データ検索部１３、音楽データ順序作成部１４、および検索結果提供部１５を有して構成されている。
【００１０】
音楽データ変換部１０は、操作部１で選択されたＦＭラジオ局やＡＭラジオ局から受信した放送、あるいはＣＤやＭＤの音楽等を再生部４に再生させ聴取しているアナログの音楽データを、デジタルの音楽データに変換する機能を有している。
音楽データ嗜好性特徴抽出部１１は、音楽データ変換部１０においてデジタル化された音楽データの特徴点を抽出する機能を有している。ここでは、図３に示すように、当該音楽のデータ群がその音域に対応する音階軸と周波数特性に対応する音調軸で表わした特徴が分布図上のどこにプロットされるかに基づいて、特徴点Ｐを抽出する。
【００１１】
嗜好分類軸作成部１２は、音楽データ嗜好性特徴抽出部１１において抽出した特徴点Ｐに基づいて、音楽データに嗜好性が近似する嗜好分類軸を作成する。すなわち音楽データの特徴点Ｐと軸原点を結ぶ１本の直線を嗜好分類軸Ｓとして定める。
コンテンツデータベース６は、例えばハードディスクに音楽データと、嗜好分類軸を蓄積できるようになっている。音楽データには、その曲名、演奏者や歌手等の関連情報が付随している。
【００１２】
音楽データ検索部１３は、コンテンツデータベース６に蓄積されている音楽データを読み込み、その音楽データの特徴点と嗜好分類軸作成部１２において作成された嗜好分類軸Ｓとを比較して、嗜好分類軸Ｓの近傍にある特徴点を有する音楽データを検索する。
音楽データ順序作成部１４は、音楽データ検索部１３において検索して抽出された音楽データを、その特徴点が嗜好分類軸Ｓに近い順序に並べ換える。
音楽データ順序作成部１４はさらに、この並べ換えた音楽データを嗜好分類軸Ｓとともにコンテンツデータベース６へ送って蓄積する。
【００１３】
検索結果提供部１５は、音楽コンテンツ順序作成部１４で作成した順序で、音楽データ関連情報を表示部７に表示するとともに、当該順序に従って音楽データをアナログ音楽に変換して再生部４から再生させる。
この際、音楽データ関連情報は表示部７に表示するほか、例えば音声によって音楽データ関連情報を報知するようにしてもよい。
【００１４】
表示部７はタッチパネルスイッチ構造になっており、操作部１の機能を補完する。表示部７には、ＣＤ／ＭＤを聴取しているときは、図４に示すように、ＣＤ／ＭＤに収録されている複数の音楽データの「曲名」がＸ１〜Ｘ６のように収録順に示される選択表示スイッチ２５が表示され、また、同様に選択スイッチとして後述する「近傍嗜好選曲」の表示スイッチ２６、「キーワード選曲」の表示スイッチ２７が表示される。
なお、図４の表示部７には、再生メディア表示部２８にＣＤが再生中であることが示されている。
【００１５】
例えばＣＤが再生中の場合、選択表示スイッチ２５に表示されている曲名のいずれかを指でタッチ操作することにより、タッチされた曲へ切り換わってその音楽が再生部４から出力される。一方、とくに選択表示スイッチ２５に触れなければ、選択表示スイッチ２５に表示されている順序で各音楽が自動的に再生出力される。
【００１６】
次に、ＣＤに収録されている音楽データを聴取しているときを例に、主として嗜好検索処理部５における処理の流れを図５のフローチャートにより説明する。
ＣＤに収録されている音楽データを聴取しているときには、図４に示したように、収録されている順に曲名Ｘ１〜Ｘ６が選択表示スイッチ２５に表示されている。
まず、ステップ１００において、再生部４の出力状態から、音楽が再生中であるかどうかをチェックする。
音楽が再生中でなければ本検索処理は終了するが、例えば曲名Ｘ１の音楽を再生中のときはステップ１０１に進んで、「近傍嗜好選曲」の表示スイッチ２６がタッチ操作されたかどうかをチェックする。タッチ操作がない間は、ステップ１０１が繰り返される。
【００１７】
「近傍嗜好選曲」の表示スイッチ２６がタッチ操作されると、ステップ１０２において、表示部７に、図６に示すような確認要求３０を表示する。
確認要求は、例えば「近傍嗜好選曲を実施しますか？」のメッセージと、「Ｙｅｓ」および「Ｎｏ」の表示スイッチ３２、３３を含む。
そして、ステップ１０３で、「Ｎｏ」がタッチ操作されたかどうかをチェックする。「Ｎｏ」がタッチ操作されたときはステップ１０１へ戻り、「Ｎｏ」がタッチ操作されていないときはステップ１０４へ進む。
ステップ１０４では、「Ｙｅｓ」がタッチ操作されたかどうかをチェックする。「Ｙｅｓ」もタッチ操作されていないときは、ステップ１０２へ戻る。
【００１８】
「Ｙｅｓ」がタッチ操作されたときはステップ１０５に進んで、音楽データ変換部１０が、現在再生中の曲名Ｘ１の音楽データをデジタルの音楽データに変換する。
つぎのステップ１０６では、音楽データ嗜好性特徴抽出部１１が、デジタル化された曲名Ｘ１の音楽データが有する特徴点を抽出し、続いて、ステップ１０７において、嗜好分類軸作成部１２が、抽出された特徴点に基づいて再生中の音楽データに嗜好性が近似する嗜好分類軸を作成する。
【００１９】
つぎのステップ１０８において、音楽データ検索部１３は、コンテンツデータベース６に蓄積されている音楽データを読み込み、これら音楽データの特徴点と前ステップで作成された嗜好分類軸とを比較して、嗜好分類軸の近傍にある特徴点を有する音楽データを検索する。
ここでは、図７に示すように、複数の音楽データの特徴点が嗜好分類軸Ｓの近傍にａ、ｂ、ｃ、ｄ、ｅのように分散しているとすると、嗜好分類軸Ｓから所定の距離にある特徴点ｂ、ｃ、ｅを有する音楽データＹ２、Ｙ３、Ｙ５が抽出される。
なお、図７中には、すでにコンテンツデータベース６に蓄積されている「夕暮れに合う曲」、「のりのいい曲」、「悲しい曲」の各分類の嗜好分類軸を参考に示している。
【００２０】
このあと、ステップ１０９において、音楽データ順序作成部１４により、上記抽出された音楽データを、特徴点が嗜好分類軸Ｓに近い順序Ｙ５、Ｙ３、Ｙ２に並べ換える。
ステップ１１０で、音楽データ順序作成部１４は、嗜好分類軸Ｓとこれに基づいて特徴点を並べ換えた音楽データＹ５、Ｙ３、Ｙ２とを新たな１つの分類として、コンテンツデータベース６へ送って蓄積する。この新たな分類にはそのキーワードとして例えば「Ｘ１に類似した曲」の名称が付せられる。
【００２１】
ステップ１１１では、検索結果提供部１５が、図８に示すように、ステップ１０９で並べ替えられた順序で音楽データの曲名等を表示部７に選択表示スイッチ２５として表示する。ここでは、ステップ１０８で抽出された音楽データの曲名がＹ５、Ｙ３、Ｙ２の順で表示される。
利用者は表示部７に表示された曲名をタッチ操作で選択することができる。
ステップ１１２においては、タッチ操作で選択された曲名の音楽データを再生部４へ送って再生出力させる。タッチ操作による選択がなければ、検索結果提供部１５は自動的に上記の順序に従って音楽データを再生部４から出力させる。
【００２２】
なお、上記一連の流れとは別に、表示部７における「キーワード選曲」の表示スイッチ２７をタッチ操作すると、図９に示すように、コンテンツデータベース６に蓄積された各分類のキーワードが選択表示スイッチ２５に表示され、従来と同様に好みのキーワードを選択してタッチ操作することにより、当該キーワードの分類に属する音楽データの曲名が選択表示スイッチ２５に表示されることになる。
また、キーワードの名称は操作部１により変更することができ、表示部７に表示させた状態で、例えば「Ｘ１に類似した曲」を「私にとって落ち着く曲」などに変えることができる。
【００２３】
なお、上述の説明では、検索処理の開始時にＣＤに収録されている音楽データの複数の曲名が表示部７に表示されているものとしたが、ＦＭなどラジオ放送の音楽を聴取している場合には、表示部７には複数のラジオ局名が選択表示スイッチ２５として表示される。
しかし、「近傍嗜好選曲」の表示スイッチ２６がタッチ操作され、検索処理が実施された後はラジオ局名の表示は消えて、上述のとおり、表示部７にはコンテンツデータベース６から検索された音楽データの曲名が表示されることになる。
【００２４】
本実施の形態においては、嗜好検索処理部５が発明の嗜好検索処理手段を構成している。
そして、図５のフローチャートにおけるステップ１０６が発明の特徴点抽出手段を構成し、ステップ１０７が嗜好分類軸作成手段を、ステップ１０８がコンテンツ検索手段を、ステップ１１０がコンテンツ蓄積手段を構成している。
また、ステップ１０１〜１０４が抽出要求手段を構成し、ステップ１０９、１１１がコンテンツ情報表示手段を、ステップ１１２がコンテンツ再生手段をそれぞれ構成している。
【００２５】
本実施の形態は以上のように構成され、音楽データ嗜好性特徴抽出部１１によって聴取している音楽の特徴点を抽出し、その抽出された特徴点と近似する特徴点を有する音楽データを音楽データ検索部１３がコンテンツデータベース６に蓄積されているコンテンツから検索し、音楽データ順序作成部１４が検索された音楽データを同一の分類としてコンテンツデータベース６に蓄積するので、従来のように感性キーワードを手入力する必要がなく、聴取する音楽ごとの分類でデータベースを自動的に構築することができる。
また、既存の感性キーワードによる分類とは異なる分類をすることができるので、利用者の嗜好に合う多様性に富んだ検索を、容易にかつ短時間に行えるものとなる。
【００２６】
とくに、嗜好分類軸作成部１２が音楽データ嗜好性特徴抽出部１１によって抽出した特徴点に基づいて、聴取している音楽データに嗜好性が近似する嗜好分類軸Ｓを作成し、音楽データ検索部１３は嗜好分類軸Ｓとコンテンツデータベース６に蓄積されている音楽データの特徴点とを比較して、嗜好分類軸Ｓの近傍に特徴点を有する音楽データを抽出するから、利用者の嗜好に合った音楽データの検索を行うことができる。
音楽データの特徴点は、音域および周波数特性に基づいて識別するので、その嗜好性を的確に判定することができる。
また、嗜好分類軸作成部１２によって作成した嗜好分類軸Ｓもコンテンツデータベース６に蓄積するので、過去に作成した嗜好分類軸によっても利用者の嗜好に合う検索を、容易にかつ短時間に行える。
【００２７】
音楽データ嗜好性特徴抽出部１１による特徴点の抽出は、利用者による「近傍嗜好選曲」の表示スイッチ２６の操作を確認してから開始されるので、利用者の好みに合わせた分類のデータベースを構築することができる。
そして、音楽データ検索部１３が検索した音楽データは、音楽データ順序作成部１４により嗜好分類軸Ｓを用いて嗜好性が近似する順に並べ換えたうえで、検索結果提供部１５により表示部７に表示するので、各曲の利用者の好みに対する近さが簡単にわかる。
また、とくに別途の選択操作がなければ、嗜好性が近似する順に再生されるので、通常は自動的に利用者の好みに近い順で聴取することができる。
【００２８】
なお、実施の形態は車載用オーディオ装置として、全ての構成が車両に搭載されているものとしたが、コンテンツデータベース６のみは図示しない基地局に設置しておき、他の嗜好検索処理部５等を車両に搭載して、嗜好検索処理部５とコンテンツデータベース６間をネットワークで接続するものとしてもよい。これによれば、コンテンツデータベース６として大容量のものを採用できるため、検索の多様性を高められる。
あるいはまた、コンテンツデータベース６も車載しながら、嗜好検索処理部５を他の車両に搭載されているコンテンツデータベースにネットワークで接続して、他の車両のコンテンツデータベースに蓄積されている音楽データも検索可能とすることによっても、自車両のコンテンツデータベースの容量は小さくても実質大容量のものを備えたと同じになり、検索の多様性を高められる。
【００２９】
また、本発明は実施の形態の車載用に限定されず、家庭内設置型やあるいは携帯型など種々のコンテンツ利用装置におけるコンテンツ検索に適用することができる。
さらに、実施の形態ではコンテンツとして音楽データを例に説明したが、コンテンツもこれに限定されず、
【図面の簡単な説明】
【００３０】
【図１】実施の形態の構成を示すブロック図である。
【図２】操作部の概要を示す図である。
【図３】音楽データの特徴点の概念を示す説明図である。
【図４】表示部の表示画面を示す図である。
【図５】嗜好性が近似する音楽の検索処理の流れを示すフローチャートである。
【図６】表示部における検索処理の確認要求の表示例を示す図である。
【図７】嗜好分類軸による特徴点検索の要領を示す説明図である。
【図８】表示部における検索結果の表示例を示す図である。
【図９】蓄積された分類のキーワード表示例を示す図である。
【符号の説明】
【００３１】
１      操作部
２      ラジオ受信部
３      ＣＤ／ＭＤドライブ
４      再生部
５      嗜好検索処理部
６      コンテンツデータベース
７      表示部
１０    音楽データ変換部
１１    音楽データ嗜好性特徴抽出部
１２    嗜好分類軸作成部
１３    音楽データ検索部
１４    音楽データ順序作成部
１５    検索結果提供部
２５    選択表示スイッチ
２６、２７    表示スイッチ
２８    再生メディア表示部
ａ、ｂ、ｃ、ｄ、ｅ    特徴点
Ｓ      嗜好分類軸
【図１】
2007041823.tif 000003
【図２】
2007041823.tif 000004
【図３】
2007041823.tif 000005
【図４】
2007041823.tif 000006
【図５】
2007041823.tif 000007
【図６】
2007041823.tif 000008
【図７】
2007041823.tif 000009
【図８】
2007041823.tif 000010
【図９】
2007041823.tif 000011